(57)【要約】【課題】                  人物等の確認写真入りの印面を用いた人物等の確認システム。【解決手段】              ユーザ端末から受信した確認写真をデータベースに格納する確認写真格納手段と、確認写真入りの印面を作成する印面作成手段と、印面を人物等の確認写真と関連づけて格納する印面収納手段と、印面をユーザに配送する印面配送手配手段と、ユーザ端末から受信した印面情報とデータベースに格納した印面又は確認写真とを比較するようになした印面確認手段とからなる人物等の確認システム。【選択図】                図１
2005135055.tif 000002
【特許請求の範囲】
【請求項１】
ユーザ端末から受信した人物等の確認写真をデータベースに格納する確認写真格納手段と、人物等の確認写真入りの印面を作成する印面作成手段と、印面作成手段の作成した印面を人物等の確認写真と関連づけて前記データベースに格納する印面収納手段と、印面をユーザに配送するように手配する印面配送手配手段と、ユーザ端末から受信した印面情報とデータベースに格納した印面又は確認写真とを比較し一致又は不一致を確認するようになした印面確認手段とからなる人物等の確認システム。
【請求項２】
請求項１に記載の人物等の確認システムにおいて、配送手配手段と共に課金処理を行う課金手段を設けてなる人物等の確認システム。
【請求項３】
請求項１又は２に記載の人物等の確認システムにおいて、配送手配手段の前段に、印面をユーザ端末に送信しユーザ端末から印面の承認情報を取得する印面承認情報手段を設けてなる人物等の確認システム。
【請求項４】
請求項１、２又は３に記載の人物等の確認システムにおいて、確認写真入りカードを作成する手段と、該カードをユーザに配送するように手配するカード配送手配手段とを有する人物等の確認システム。
【発明の詳細な説明】
【技術分野】
【０００１】
本発明は、人物等の確認写真入りの印面を用いた人物等の確認システムに関する。
【背景技術】
【０００２】
従来、携帯電話機等のユーザ端末からの問い合わせ情報に対して、データベースに格納されている多数の顔写真の中から検索して、問い合わせ情報に一致する顔写真をユーザ端末に送信し、ユーザ端末に表示し、ユーザ端末において、表示された顔写真と問い合わせ情報の実際の人物とを比較して、その人物を確認する本人確認システムは知られている（特許文献１参照）。
【特許文献１】特開２００２−９５０４２
【発明の開示】
【発明が解決しようとする課題】
【０００３】
しかるに、問い合わせ情報としては、個人を特定するための多種多様な方法があるが、例えば、特許文献１に記載のように、個人の顔写真であっても、その時々の健康状態、化粧、髪型等によって、真に一致するか否かの判断は困難な場合があり、それ故に、最近では、バイオメトリクス（biometrics）に基づく指紋や手相や眼の光彩や網膜を個人特定手段として用いる状況にあるが、俄に簡単に登録し、比較することが困難である。
【課題を解決するための手段】
【０００４】
そこで本発明は、ユーザ端末から受信した人物等の確認写真をデータベースに格納する確認写真格納手段と、人物等の確認写真入りの印面を作成する印面作成手段と、印面作成手段の作成した印面を人物等の確認写真と関連づけて前記データベースに格納する印面収納手段と、印面をユーザに配送するように手配する印面配送手配手段と、ユーザ端末から受信した印面情報とデータベースに格納した印面又は確認写真とを比較し一致又は不一致を確認するようになした印面確認手段とからなる人物等の確認システムを提供するものであり、人物等の確認写真入りの印面という、画一された紛れのない形態を比較することにより、迅速、確実に一致又は不一致を確認することができるように構成したものである。
【０００５】
また、本発明は、上記の人物等の確認システムにおいて、配送手配手段と共に課金処理を行う課金手段を設けてなる人物等の確認システムを提供するものである。
また、本発明は、上記の人物等の確認システムにおいて、配送手配手段の前段に、印面をユーザ端末に送信しユーザ端末から印面の承認情報を取得する印面承認情報手段を設けてなる人物等の確認システムを提供するものである。
【０００６】
また、本発明は、上記の人物等の確認システムにおいて、確認写真入りカードを作成する手段と、該カードをユーザに配送するように手配するカード配送手配手段とを有する人物等の確認システムを提供するものである。
【発明の効果】
【０００７】
本発明に係る人物等の確認システムによれば、ユーザ端末から受信した人物等の確認写真をデータベースに格納する確認写真格納手段と、人物等の確認写真入りの印面を作成する印面作成手段と、印面作成手段の作成した印面を人物等の確認写真と関連づけて前記データベースに格納する印面収納手段と、印面をユーザに配送するように手配する印面配送手配手段と、ユーザから受信した印面情報とデータベースに格納した印面又は確認写真とを比較し一致又は不一致を確認するようになした印面確認手段とからなる人物等の確認システムを提供するものであり、人物等の確認写真入りの印面という、画一された紛れのない形態を比較することにより、迅速、確実に一致又は不一致を確認することができる効果がある。
【０００８】
また、本発明は、上記の人物等の確認システムにおいて、配送手配手段と共に課金処理を行う課金手段を提供する効果がある。
また、本発明は、上記の人物等の確認システムにおいて、配送手配手段の前段に、印面をユーザ端末に送信しユーザ端末から印面の承認情報を取得する印面承認情報手段を設けてなる構成を有することにより、ユーザに予め印面を承認する機会を与える効果がある。
【０００９】
また、本発明は、上記の人物等の確認システムにおいて、確認写真入りカードを作成する手段と、該カードをユーザに配送するように手配するカード配送手配手段とを有する構成を有することにより、確認写真入りの印面とカードをユーザに提供して印面とカードの両方で人物等を確認することができる効果がある。
【発明を実施するための最良の形態】
【００１０】
以下図示する実施例により、本発明を説明する。
図１において、１０は本発明に係る人物等の確認システムの写真・印面情報処理システムで、携帯電話やパソコン等のユーザ端末２０からインターネット等のネットワーク３０を介して受信した人物等の確認写真を、データベース１１に格納する確認写真格納手段と、人物等の確認写真入りの印面を作成する印面作成手段と、印面作成手段の作成した印面を人物等の確認写真と関連づけて前記データベース１１に格納する印面収納手段と、印面をユーザに配送するように手配する印面配送手配手段を具備する。
【００１１】
人物等の確認写真は、印面の使用目的に応じてデジタルカメラで撮影された、例えば、顔写真の他に、ペットや家畜等の動物の写真、骨董品、絵画、身の回り品や持ち物等の写真でも良く、写真と一体に特定の氏名や名称、暗号番号等を写し込んだ写真でも良い。
印面作成手段は、ユーザ端末から受信した確認写真から印面を作成し、ユーザの特定な情報と共に前記確認写真と関連ずけてデータベースに保管すると共に、印面配送手配手段により印面をユーザに配送するように送出するように構成してある。
【００１２】
この場合、配送手配手段に送出する前段に、印面をユーザ端末に一旦送信し、印面がユーザの希望通りにできているか否かを問い合わせて、ユーザ端末から印面の承認情報を取得する印面承認情報手段を設けてなる構成にすることも勿論可能であり、ユーザ端末と確認写真と印面の情報をやり取りして最終的に印面を確定することができるように構成することも可能である。
また、確定した印面の配送手配手段と共に課金処理を行う課金手段を設けることも勿論可能である。
【００１３】
次に、本発明システム１０は、ユーザ端末２０から受信した印面情報とデータベース１１に格納した印面又は確認写真とを比較し一致又は不一致を確認するようになした印面確認手段とからなる人物等の確認システムを提供するものであり、人物等の確認写真入りの印面という、画一された紛れのない形態を比較することにより、迅速、確実に一致又は不一致を確認して、ユーザ端末にその情報を提供することができ、最終的には、ユーザが本システムからユーザ端末２０に送出されてきた比較情報を見て、ユーザ側から送出した印面と、データベースに格納されている印面又は確認写真とを比較して、一致、不一致の決定を下すことができる。
【００１４】
なお、印面作成手段におけるユーザ端末２０と、印面確認手段におけるユーザ端末２０とは、同一の端末である必要はない。
また、本発明は、上記の人物等の確認システムにおいて、印面と同様に、確認写真入りカードを作成する手段と、該カードをユーザに配送するように手配するカード配送手配手段とを有する構成にすることも勿論可能であり、これによって、確認写真入りの印面とカードをユーザに提供して印面とカードの両方で人物等を確認することができる。
【００１５】
上記の構成からなる本発明に係る人物等の確認システムを、図２のフローチャートに基づいて説明すると、ステップ１において、ユーザ端末２０からの確認写真情報が情報処理システム１０に取得されると、ステップ２に記載のように、写真データベース１１に格納されると同時に、ステップ３の確認写真入り印面作成が行われ、作成された印面はステップ４に記載のように印面データベース１１に格納される。このステップ３において、印面作成と併行して確認写真入りカードを同様に作成し、データベース１１に格納すると共に次のステップ４〜９に移行することも可能である。
【００１６】
ステップ３において印面作成が完了すると、ステップ５において印面配送手配が行われ、同時に課金処理が行われることとなる。
次に、ステップ６に記載のように、ユーザ端末２０からネットワーク３０を介して印面情報が送られてくると、写真・印面情報処理システム１０において、ステップ７において、印面データベース又は写真データベース１１に格納されている印面情報との比較が行われ、ステップ８において比較情報と共に一致又は不一致情報がユーザ端末２０に送出され、ユーザ端末２０において、ステップ９の如く、確認処理が行われることとなる。
【図面の簡単な説明】
【００１７】
【図１】本発明システムの一実施例の概略説明図。
【図２】その一実施例のフローチャート図。
【符号の説明】
【００１８】
１０    写真・印面情報処理システム
１１    データベース
２０    ユーザ端末
３０    ネットワーク
【図１】
2005135055.tif 000003
【図２】
2005135055.tif 000004